【手続補正書】
【提出日】平成28年5月20日(2016.5.20)
【手続補正１】
【補正対象書類名】特許請求の範囲
【補正対象項目名】全文
【補正方法】変更
【補正の内容】
【特許請求の範囲】
【請求項１】
プロセッサによって実現される相互利益のための方法であって、
前記プロセッサが、ユーザのエコ残高及び口座名義人の現在のエコ・スケジュールの要求を口座名義人から受信するステップと、
前記プロセッサが、エコ割当が成功裡に処理されたことを示すエコ割当確認と、エコデータを受信するステップと、
前記プロセッサが、前記割当における使用のために、以前のエコ交換において他の口座名義人から受信したエコの金額をユーザの口座から引き出すステップと、
前記プロセッサが、前記ユーザの口座にエコの金額を追加するステップと、
前記プロセッサが、エコ記録を生成し、前記エコデータを前記エコ記録に格納するステップと、を有し、
前記ユーザの口座は、前記ユーザが異種の利益口座を維持する必要がないように、口座名義人の異種の分類からのエコを格納することを特徴とする方法。
【請求項２】
前記プロセッサが、前記エコ記録を使用して、データベースにおいて、前記口座名義人の現在のエコ・スケジュールを更新するステップと、を更に有することを特徴とする請求項１に記載の方法。
【請求項３】
前記ユーザのエコ残高は、前記エコ割当確認を受信した後で更新されることを特徴とする請求項１または２に記載の方法。
【請求項４】
前記ユーザのエコ残高は、前記エコ割当確認を受信する前に更新されることを特徴とする請求項１または２に記載の方法。
【請求項５】
前記追加されたエコは、その後の交換で使用できるだけであることを特徴とする請求項１から４のいずれか１項に記載の方法。
【請求項６】
前記追加されたエコは、前記口座名義人に由来するものとしてマークされ、
前記エコは、それらが由来する前記口座名義人でその後の交換に使用できないことを特徴とする請求項５に記載の方法。
【請求項７】
前記プロセッサが、前記口座名義人に、前記ユーザのエコ残高と前記口座名義人の現在のエコ・スケジュールを送信するステップと、を更に有することを特徴とする請求項１から６のいずれか１項に記載の方法。
【請求項８】
プロセッサによって実現される相互利益のための方法であって、
前記プロセッサが、ユーザに、前記ユーザのエコ残高及び前記ユーザのエコ残高中の少なくとも幾つかのエコが失効するだろうという表示を送信するステップと、
前記プロセッサが、指定された友人に、失効するエコを贈与する要求を受信するステップと、
前記プロセッサが、プロセッサを介して、前記ユーザの失効するエコを、前記指定された友人に贈与されるべきものとして割り当てるステップと、
前記プロセッサが、前記指定された友人にエコ贈与メッセージを送信するステップと、
前記プロセッサが、前記指定された友人から登録要求を受信するステップと、
前記プロセッサが、プロセッサを介して、前記指定された友人のための新しいユーザ口座を生成するステップと、
前記プロセッサが、前記指定された友人の新しいユーザ口座に、前記割り当てられた失効するエコを移転するステップと、
前記プロセッサが、前記ユーザ及び前記指定された友人に前記移転の確認を送信するステップと、を有することを特徴とする方法。
【請求項９】
前記プロセッサが、前記指定された友人による、前記ユーザの贈与されたエコの支出を監視するステップと、
前記プロセッサが、所定数の前記ユーザの贈与されたエコが消費されたときに、前記ユーザの口座に、招待ボーナスブロックを割り当てるステップと、を更に有することを特徴とする請求項８に記載の方法。
【請求項１０】
前記プロセッサが、ユーザから、ユーザのエコ残高情報の要求を受信するステップと、を更に有することを特徴とする請求項８または９に記載の方法。
【請求項１１】
前記登録要求は、プロモータによって贈与されたエコの金額を含むことを特徴とする請求項８から１０のいずれか１項に記載の方法。
【請求項１２】
前記プロモータは、前記友人に贈与されたエコの金額の一部を取得することを特徴とする請求項１１に記載の方法。
【請求項１３】
前記プロセッサが、口座名義人マネージャーに、エコを前記プロモータへ贈与させ、前記友人に贈与されたエコの金額の一部を取得させることを特徴とする請求項１２に記載の方法。
【請求項１４】
プロセッサによって実現される相互利益のための方法であって、
前記プロセッサが、相互利益プログラムへの予備的興味の表示を受信するステップと、
前記プロセッサが、前記口座名義人に相互利益登録要求フォームを提供するステップと、
前記プロセッサが、口座名義人から前記相互利益プログラムの相互利益登録要求を受信するステップと、
前記プロセッサが、前記口座名義人に相互利益登録フォームを送信するステップと、
前記プロセッサが、前記口座名義人から記入された相互利益登録フォームを受信するステップと、
前記プロセッサが、前記口座名義人に関する経歴資料を要求する要求を口座名義人エージェントに送信するステップと、
前記プロセッサが、前記口座名義人エージェントから前記口座名義人に関する経歴資料を受信するステップと、
前記プロセッサが、前記口座名義人エージェントからの前記経歴資料の分析するステップと、
前記プロセッサが、前記経歴資料が所定の基準を満たす場合、前記相互利益プログラムに前記口座名義人を登録するステップと、
前記プロセッサが、前記口座名義人のために口座名義人口座を生成するステップと、
前記プロセッサが、前記口座名義人に前記相互利益プログラムへの登録の確認を送信するステップと、を有することを特徴とする方法。
【請求項１５】
前記プロセッサが、口座名義人から、現在のインフラストラクチャーと設定コンフィギュレーションの調査表を受信するステップと、
前記プロセッサが、相互利益プログラム仕様に基づいて、前記口座名義人のために新しいコンフィギュレーションを決定するステップと、
前記プロセッサが、実行のために前記口座名義人に、前記新しいコンフィギュレーション及び前記教育資料を送信するステップと、を更に有することを特徴とする請求項１４に記載の方法。
【請求項１６】
前記プロセッサが、新しいコンフィギュレーション用教育資料を生成するステップと、を更に有することを特徴とする請求項１５に記載の方法。
【請求項１７】
プロセッサによって実現される相互利益のための方法であって、
前記プロセッサが、口座名義人から、口座名義人のバリューポイント残高と口座名義人の現在のバリューポイントスケジュールを受信するステップと、
前記プロセッサが、エコが成功裡に処理されたことを示すバリューポイント割当確認と、バリューポイントデータを受信するステップと、
前記プロセッサが、前記割当における使用のために、以前の交換で他の口座名義人から受信したバリューポイントの金額をユーザの口座から引き出すステップと、
前記プロセッサが、前記バリューポイントデータに基づいて、ユーザの口座にバリューポイントの金額を追加するステップと、
前記プロセッサが、プロセッサを介して、前記バリューポイント記録を生成し、前記バリューポイントデータを前記バリューポイント記録に格納するステップと、を有することを特徴とする方法。
【請求項１８】
前記プロセッサが、前記バリューポイント記録を使用して、前記プロセッサを介して、前記データベース中の前記口座名義人の現在のバリューポイントスケジュールを更新するステップと、を更に有することを特徴とする請求項１７に記載の方法。
【請求項１９】
プロセッサによって実現される相互利益のための方法であって、
前記プロセッサが、パートナーから大量の製品を受信するステップと、
前記プロセッサが、口座名義人のエコ残高とパートナーの現在のエコ・スケジュールの要求をパートナーから受信するステップと、
前記プロセッサが、前記口座名義人のエコ残高と前記パートナーの現在のエコ・スケジュールを前記パートナーに送信するステップと、
前記プロセッサが、少なくとも１つの大量の製品の購入を含むトランザクションが成功裡に処理されたことを示すエコトランザクション確認と、エコトランザクションデータを受信するステップと、
前記プロセッサが、前記トランザクションで使用されたエコの金額を前記口座名義人の口座から引き出すステップと、
前記プロセッサが、前記エコデータに基づいて、前記口座名義人の口座にエコの金額を追加するステップと、
前記プロセッサが、エコ記録を生成し、前記エコ記録に前記エコデータを格納するステップと、
前記プロセッサが、前記エコ記録を使用して、前記プロセッサを介して、前記データベース中の前記口座名義人の現在のエコ・スケジュールを更新するステップと、を有することを特徴とする方法。
【請求項２０】
プロセッサによって実現される相互利益のための方法であって、
前記プロセッサが、定義されたジオデモグラフィックな地域内で相互利益プログラムの集められたエンティティデータを受信するステップと、
前記プロセッサが、前記エンティティデータに関する性能解析を実行するステップと、
前記プロセッサが、前記地域が人口過剰である場合、地域を分割するために境界設定表示を決定するステップと、
前記プロセッサが、前記ジオデモグラフィックな境界設定表示に基づいて、前記地域をサブ地域に分割するステップと、
前記プロセッサが、各サブ地域上で更新されたデモグラフィックな産業データを受信するステップと、
前記プロセッサが、前記更新されたデモグラフィックな産業データに基づいて、各サブ地域に対して新しい口座名義人カテゴリーを生成するステップと、を有することを特徴とする方法。
【請求項２１】
前記エンティティは、口座名義人またはデモグラフィックデータの少なくとも１つであることを特徴とする請求項２０に記載の方法。
【請求項２２】
プロセッサによって実現される相互利益のための方法であって、
前記プロセッサが、定義されたジオデモグラフィック地域内の相互利益プログラムにおいて集められたエンティティデータを受信するステップと、
前記プロセッサが、前記エンティティデータに関する性能解析を実行するステップと、
前記プロセッサが、前記地域の少なくとも１人の口座名義人の受容力を超えていれば、前記相互利益プログラムにおいて少なくとも１人の口座名義人を登録する登録基準を決定するステップと、
前記プロセッサが、相互利益プログラムに未登録の口座名義人に相互利益登録フォームを送信するステップと、
前記プロセッサが、前記相互利益プログラムに未登録の口座名義人から、記入された相互利益登録フォームを受信するステップと、
前記プロセッサが、前記相互利益プログラムに前記口座名義人を登録するステップと、
前記プロセッサが、前記登録された口座名義人を含めるために、データベースにおいて前記地域記録を更新するステップと、を有することを特徴とする方法。
【請求項２３】
前記エンティティは、口座名義人またはデモグラフィックデータの少なくとも１つであることを特徴とする請求項２２に記載の方法。
【請求項２４】
前記登録基準は、前記地域において受容力を超えている前記少なくとも１人の口座名義人のカテゴリーを含んでもよいことを特徴とする請求項２２または２３に記載の方法。
【請求項２５】
前記エコは、ヘルスケアプロバイダと患者との交換において使用可能であってもよく、
前記交換は前記患者のヘルスケアの費用を削減することを特徴とする請求項１から２４のいずれか１項に記載の方法。
【請求項２６】
前記エコは、健康保険プロバイダとヘルスケアプロバイダとの交換において使用可能であってもよいことを特徴とする請求項１から２４のいずれか１項に記載の方法。
【請求項２７】
請求項１から２６のいずれか１項に記載の方法を実行可能な相互利益のためのシステム。
【請求項２８】
コンピュータに請求項１から２６のいずれか１項に記載の方法を実行させるためのプログラム。
【請求項２９】
請求項２８に記載のプログラムを記録したコンピュータが読み取り可能な記録媒体。
【請求項３０】
プロセッサと、
前記プロセッサと通信するように配置され、前記プロセッサが実行可能な請求項２８に記載のプログラムを格納するメモリと、を有する装置。